(57)【要約】【課題】光が外へ漏れ出るのを確実に阻止するができ、設計の自由度が高いルーバーと、それを備えた投射型映像表示装置を提供する。【解決手段】第１ルーバー本体６４（第２ルーバー本体７４）と第１開口部６３（第２開口部７３）の開口面とのなす角度θ1（θ2）は０°＜θ1（θ2）＜９０°であり、第１ルーバー本体（第２ルーバー本体７４）の先端部６４ａ（７４ａ）と第１開口部６３（第２開口部７３）の第２開口端６３ｂ（７３ｂ）を含む面は、開口面６３（７３）に対して垂直とされる。【選択図】図１０
2010117589.tif 000002
【特許請求の範囲】
【請求項１】
第１の方向に対向するように配置された第１ルーバーおよび第２ルーバーを有するルーバーであって、
前記第１ルーバーは、
空気を流通させる第１開口部が形成され、前記第１の方向と交差する第２の方向（Ｚ）に延在する第１壁部と、
前記第１開口部の開口端を含む第１開口面に対して垂直に入射する光を遮る態様で、前記第１壁部から前記第２の方向（Ｚ）と反対の第３の方向（−Ｚ）の側に向かって前記第２ルーバー側へ傾斜するように形成された第１ルーバー本体と
を備え、
前記第２ルーバーは、
空気を流通させる第２開口部が形成され、前記第１壁部と対向するように前記第２の方向（Ｚ）に延在する第２壁部と、
前記第２開口部の開口端を含む第２開口面に対して垂直に出射する光を遮る態様で、前記第２壁部から前記第３の方向（−Ｚ）の側に向かって前記第１ルーバー側へ傾斜するように形成された第２ルーバー本体と
を備えた、ルーバー。
【請求項２】
前記第１ルーバー本体は、前記第１壁部の前記第２の方向（Ｚ）の側に位置する、前記第１開口部の第１開口端に設けられ、
前記第１ルーバ本体と前記第１開口面とのなす角度は、０°より大きく９０°よりも小さく、
前記第１壁部の前記第３の方向（−Ｚ）の側に位置する、前記第１開口部の第２開口端と、前記第１ルーバー本体の先端とを含む面は、前記第１開口面に垂直とされ、
前記第２ルーバー本体は、前記第２壁部の前記第２の方向（Ｚ）の側に位置する、前記第２開口部の第１開口端に設けられ、
前記第２ルーバー本体と前記第２開口面とのなす角度は、０°より大きく９０°よりも小さく、
前記第２壁部の前記第３の方向（−Ｚ）の側に位置する、前記第２開口部の第２開口端と、前記第２ルーバー本体の先端とを含む面は、前記第２開口面に垂直とされた、請求項１記載のルーバー。
【請求項３】
前記第１ルーバー本体および前記第２ルーバー本体には反射防止部が形成された、請求項１または２に記載のルーバー。
【請求項４】
請求項１〜３のいずれかに記載のルーバーを備えた投射型映像表示装置であって、
前記ルーバーと、
光源部と、
所定の入力映像信号に基づいて前記光源部から発せられた光を変調し、投射レンズを介して投射方向に映像を投射する光学部と
前記光源部および前記光学部を収容するケーシングと
を備えた、投射型映像表示装置。
【発明の詳細な説明】
【技術分野】
【０００１】
本発明は、ルーバーおよびそれを備えた投射型映像表示装置に関し、特に、光が漏れるのを阻止するルーバーと、そのようなルーバーを備えた投射型映像表示装置とに関するものである。
【背景技術】
【０００２】
投射型映像表示装置では、光源から発せられる光が光学系に導かれて映像が生成され、生成された映像は前方のスクリーンへ拡大投射される。投射型映像表示装置のケーシング内には、映像を生成する光学ユニットと、光源としてのランプユニットとが配設されている。ランプユニットは発光時に発熱し、ランプユニットの温度が所定の限界温度を超えると、ランプのユニットの寿命が短くなる。これを抑制するために、投射型映像表示装置には、ランプユニットを冷却風によって空冷する対策が講じられている。
【０００３】
ランプユニットは所定のホルダー内に収容されている。ホルダーには、ホルダーの内部でランプユニットを冷却した後の風をホルダーの外部へ排出するために、所定の開口部を設けたルーバーが配設されている。そのルーバーには、ランプユニットから発せられる光が、ルーバーを経てケーシングの外へ漏れ出るのを防止するために、開口部の開口面に対して所定の角度に傾けた遮光板が二重に配設されている。また、ケーシングには、ルーバーから排出される風を、ケーシングの外へ排出するための排気孔が設けられている。なお、このようなルーバーを開示した文献の一つとして、特許文献１がある。
【特許文献１】特開２００１−４０９５２号公報
【発明の開示】
【発明が解決しようとする課題】
【０００４】
従来、投射型映像表示装置では、ランプユニットから発せられる光がケーシングの外へ漏れ出るのを防止するためにさまざまの提案がなされている。
【０００５】
本発明は、その一環として、さらなる改善を提案するものであり、その目的は、ランプユニットから光がケーシングの外へ漏れ出るのを確実に阻止するができるルーバーを提供することである。
【課題を解決するための手段】
【０００６】
本発明に係るルーバーは、第１の方向に対向するように配置された第１ルーバーおよび第２ルーバーを有するルーバーであって、第１ルーバーは、第１壁部と第１ルーバー本体とを備え、第２ルーバーは、第２壁部と第２ルーバー本体とを備えている。第１壁部には、空気を流通させる第１開口部が形成され、第１の方向と交差する第２の方向に延在する。第１ルーバー本体は、第１開口部の開口端を含む第１開口面に対して垂直に入射する光を遮る態様で、第１壁部から第２ルーバーにおける第２の方向と反対の第３の方向の側に向かって傾斜するように形成されている。第２壁部には、空気を流通させる第２開口部が形成され、第１壁部と対向するように第２の方向に延在する。第２ルーバー本体は、第２開口部の開口端を含む第２開口面に対して垂直に出射する光を遮る態様で、第２壁部から第１ルーバーにおける第３の方向の側に向かって傾斜するように形成されている。
【０００７】
より具体的には、第１ルーバー本体は、第１壁部の第２の方向と反対方向の第３の方向の側に位置する、第１開口部の第１開口端に設けられ、第１ルーバ本体と第１開口面とのなす角度は、０°より大きく９０°よりも小さく、第１壁部の第２の方向の側に位置する、第１開口部の第２開口端と、第１ルーバーの先端とを含む面は、第１開口面に垂直とされ、第２ルーバー本体は、第２壁部の第３の方向の側に位置する、第２開口部の第１開口端に設けられ、第２ルーバー本体と第２開口面とのなす角度は、０°より大きく９０°よりも小さく、第２壁部の第２の方向の側に位置する、第２開口部の第２開口端と、第２ルーバーの先端とを含む面は、第２開口面に垂直とされていることが好ましい。
【０００８】
反射による光の漏れを防止するには、第１ルーバー本体および第２ルーバー本体には反射防止部が形成されていることが好ましい。
【０００９】
より具体的には、反射防止部は、シボ加工、シート材および塗装の少なくともいずれかを含むことが好ましい。
【００１０】
本発明に係る投射型映像表示装置は、上述したルーバーを備えた投射型映像表示装置であって、光源部と光学部とケーシングとを備えている。光源部には光源本体が収容されて、上述したルーバーが装着されている。光学部は、所定の入力映像信号に基づいて光源部から発せられた光を変調し、投射レンズを介して投射方向に映像を投射する。ケーシングには光源部および光学部が収容されている。
【発明の効果】
【００１１】
本発明に係るルーバーによれば、第１ルーバー本体が、第１開口面に対して垂直に入射する光を遮る態様で、第１壁部から第２ルーバーにおける第３の方向の側に向かって傾斜するように形成され、そして、第２ルーバー本体が、第２開口面に対して垂直に出射する光を遮る態様で、第２壁部から第１ルーバーにおける第３の方向の側に向かって傾斜するように形成されている。これにより、第２ルーバーに向かって第１ルーバーの第１開口部から光が入射しても、その入射した光が第２ルーバーの第２開口部から直接出射することはなく、ルーバーの外へ光が漏れるのを確実に阻止することができる。
【発明を実施するための最良の形態】
【００１２】
実施の形態１
本発明の実施の形態１に係るプロジェクタ装置について説明する。図１に示すように、プロジェクタ装置１０では、下半ケース１１と上半ケース１２とからなる扁平なケーシング１を備えている。そのケーシング１の前面パネル１３には、投射窓１４が形成されている。また、図２に示すように、後面パネル１７には、ケーシング１内の空気を排出する排気孔１５が形成されている。図３に示すように、ケーシング１の内部には、カラー映像光を生成するための光学ユニット２と、光学ユニット２の光源となるランプユニット４が配設されている。次に、その各ユニットについて説明する。
【００１３】
光学ユニットについて
図４に示すように、光学ユニット２では、ランプユニット４から発せられて第１フィールドミラー２１に入射した白色光は、第１フィールドミラー２１によって反射されて第１ダイクロイックミラー２２に入射する。第１ダイクロイックミラー２２では、赤色光と緑色光が反射され、青色光のみが第１ダイクロイックミラーミラー２２を通過する。第１ダイクロイックミラー２２を通過した青色光は、第２フィールドミラー２３に入射し、第２フィールドミラー２３によって反射されて色合成装置３へ入射する。
【００１４】
また、第１ダイクロイックミラー２２によって反射された赤色光と緑色光は、第２ダイクロイックミラー２７へ入射する。第２ダイクロイックミラー２７では、緑色光が反射される。反射された緑色光は、色合成装置３へ入射する。そして、第２ダイクロイックミラー２７に入射した赤色光は、第２ダイクロイックミラー２７を通過し、第３フィールドミラー２６および第４フィールドミラー２５に反射されて色合成装置３へ入射する。
【００１５】
色合成装置について
色合成装置３は、色合成プリズム３０、赤色映像生成ユニット３１、緑色映像生成ユニット３３および青色映像生成ユニット３２を備えている。赤色映像生成ユニット３１、緑色映像生成ユニット３３および青色映像生成ユニット３２には、それぞれ、色合成プリズム３０側から、順次、出射側偏光板、液晶パネルおよび入射側偏光板が配設されている。
【００１６】
光学ユニット２から色合成装置３に入射した赤色光、緑色光および青色光は、それぞれ、赤色映像生成ユニット３１、緑色映像生成ユニット３３および青色映像生成ユニット３２を透過して色合成プリズム３０に入射する。色合成プリズム３０に導かれた３色の映像光は、色合成プリズム３０により合成される。こうして得られる映像光が、投射レンズ２０を経て前方のスクリーン（図示せず）へ拡大投射されることになる。
【００１７】
ランプユニットについて
図３に示すように、ランプユニット４は外側ホルダー７内に収容されて、ケーシング１の後面パネル１７に設けられた排気孔１５の近傍に配置されている。その外側ホルダー７内では、図５に示すように、ランプユニット４は内側ホルダー５に保持されている。そのランプユニット４として、たとえば、メタルハライドランプや超高圧水銀ランプ等の放電発光型のランプが適用されている。ランプユニット４は、発光管（図示せず）を包囲するように放物面状のリフレクタ４１を備えている。
【００１８】
ランプユニット４の側方には、ランプユニット４を空冷するための排気ファンユニット８が配設されている。図２および図３に示すように、排気ファンユニット８は、後面パネル１７に設けられた排気孔１５と対向している。図５に示すように、ランプユニット４と排気ファンユニット８との間には、空気の流通を許容するとともに、ランプユニット４の光がケーシングの外へ漏れ出るのを防ぐルーバー９が配設されている。次に、そのルーバー９について、詳しく説明する。
【００１９】
ルーバーについて
図６に示すように、ルーバー９は、第１ルーバ６１と第２ルーバー７１を備えている。第１ルーバー６１はランプユニット４側に配設され、第２ルーバー７１は排気ユニット８側に配設されている。第１ルーバー６１は側壁部６２と複数の第１ルーバー本体６４を備え、側壁部６２には、空気を流通させる複数の第１開口部６３が形成されている。第２ルーバー７１は壁体部７２と複数の第２ルーバー本体を備え、壁体部７２には、空気を流通させる複数の第２開口部７３が形成されている。
【００２０】
図７および図８に示すように、第１ルーバー６１の側壁部６２と第２ルーバー７１の壁体部７２とは、平行に配置されている。なお、この平行とは、数学的に厳密な平行を意図するものではなく、製造上の誤差を含み得る。複数の第１開口部６３は、それぞれ所定の幅を有してＹ方向に延在し、互いにＺ方向に間隔を隔てて形成されている。同様に、複数の第２開口部７３は、それぞれ所定の幅を有してＹ方向に延在し、互いにＺ方向に間隔を隔てて形成されている。
【００２１】
ここで、第１開口部６３の開口端のうち、Ｚ方向上端側（正の向き）に位置する側壁部６２の端部を第１開口端６２ａと称し、Ｚ方向下端側（負の向き）に位置する側壁部６２の端部を第２開口端６２ｂと称する。同様に、第２開口部７３の開口端のうち、Ｚ方向上端側に位置する壁体部７２の端部を第１開口端７２ａと称し、Ｚ方向下端側に位置する壁体部７２の端部を第２開口端７２ｂと称する。
【００２２】
複数の第１ルーバー本体６４のそれぞれは、複数の第１開口部６３のそれぞれの第１開口端６２ａから第２ルーバー７１のＺ方向下端側（負の向き）に向かって、傾斜するように形成されている。また、複数の第２ルーバー本体７４のそれぞれは、複数の第２開口部７３のそれぞれの第１開口端７２ａから第１ルーバー６１のＺ方向下端側（負の向き）に向かって、傾斜するように形成されている。そして、このルーバー９では、各第１開口部６３と各第２開口部７３とは、いずれも同じ幅に形成され、また、Ｚ方向位置がそれぞれ同じになるように形成されている。
【００２３】
次に、第１ルーバー本体６４と第１開口部６３の配置関係について説明する。図９および図１０に示すように、ルーバー９では、ルーバーとしての機能をもたせるには、第１ルーバー本体６４と、第１開口部６３の開口端を含む第１開口面６５となす角度θ1の範囲は、０°＜θ1＜９０°とする必要がある。そして、第１ルーバー本体６４の先端部６４ａのＺ方向位置と、第１開口部６３の第２開口端６２ｂのＺ方向位置とが同じ位置とされる。すなわち、第１ルーバー本体６４の先端部６４ａと第２開口端６２ｂを含む面６６が第１開口面６５に対して垂直になるように、第１ルーバー本体６４が第１開口部６３の開口端に形成されている。
【００２４】
第２ルーバー本体７４と第２開口部７３の配置関係についても、第１ルーバー本体６４等と同様に、第２ルーバー本体７４と、第２開口部７３の開口端を含む第２開口面７５となす角度θ2の範囲は、０°＜θ2＜９０°とする必要がある。また、第２ルーバー本体７４の先端部７４ａと第２開口端７２ｂを含む面７６が第２開口面７５に対して垂直になるように、第２ルーバー本体７４が第２開口部７３の開口端に形成されている。なお、この垂直とは、数学的に厳密な垂直を意図するものではなく、製造上の誤差を含み得る。また、このルーバー９では、角度θ1＝角度θ2とされる。
【００２５】
このように、本プロジェクタ装置１０のルーバー９では、次の２つの条件Ａ，Ｂを満たすように、ルーバー本体（第１ルーバー本体６４、第２ルーバー本体７４）と開口部（第１開口部６３、第２開口部７３）が形成されている。
【００２６】
ルーバー本体と開口部の開口面とのなす角度θ：０°＜θ＜９０°  （条件Ａ）
ルーバー本体の先端部と開口部の第２開口端を含む面  ⊥  開口面  （条件Ｂ）
ルーバーの機能について
次に、ルーバーの機能について説明する。まず、ランプユニットから発せられる光のうち、第１ルーバーからルーバー内に入射可能な光の成分について説明する。上述したように、第１ルーバー本体６４の先端部６４ａと第２開口端６２ｂを含む面６６は、第１開口面６３に対し垂直とされる。こうすることで、図１０に示すように、第１開口部６３から第１開口面６５に対して垂直に進む光の成分は、第１ルーバー本体６４の先端部６４ａに遮られて、第２ルーバー７２まで到達することはない。
【００２７】
しかも、第１ルーバー本体６４と第１開口面６５となす角度θ1の範囲が、０°＜θ1＜９０°に設定されている。そうすると、第１開口面６５とのなす角度α1が、９０°＜α1＜１８０°となる光の成分（矢印９１）だけが、第１開口部６５からルーバー９内に進入することができる。
【００２８】
こうして、ランプユニット４（図５参照）から発せられる光のうち、第１開口面６５とのなす角度α1が鈍角の光の成分だけが、第１開口部６５から第１ルーバー６１と第２ルーバー７１との間の領域に入射することになる。その一つの第１開口部６３から光が進入する領域Ｒ１を斜線で示す。
【００２９】
次に、第２ルーバーからルーバーの外へ出射可能な光の成分について説明する。第２ルーバー本体７４の先端部７４ａと第２開口端７２ｂを含む面７６は、第２開口面７５に対し垂直とされる。こうすることで、仮に、第２開口面７５に対して垂直に進む光の成分があったとしても、その光の成分は第２ルーバー本体７４に遮られて、第２開口部７５から直接出射することはない。
【００３０】
しかも、第２ルーバー本体７４と第２開口面７５となす角度θ2の範囲が、０°＜θ2＜９０°に設定されている。そうすると、第２開口面７５とのなす角度α2が、０°＜α2＜９０°となる光の成分（矢印９２）だけが、第２開口部７５から出射することになる。すなわち、ルーバー内に進入した光のうち、第２開口面７５とのなす角度α2が鋭角の光の成分だけが、第２開口部７３から出射することになる。その一つの第２開口部７３から光が出射可能な領域Ｒ２を斜線で示す。
【００３１】
ところが、上述したように、第１開口部６３からルーバー９内へは、第１開口面６５とのなす角度α1が鈍角となる光の成分だけが進入することになる。そして、第１ルーバー６１の側壁部６２と第２ルーバー７１の壁体部７２とが平行に配置されていることで、第１開口部６５から進入した各光の成分と第２ルーバー７１の壁体部７２（第２開口面７５）とのなす角度は角度α1と同じ鈍角となる。
【００３２】
そうすると、第２開口面７５とのなす角度α1が鈍角となる光の成分は、第２開口面７５とのなす角度α2が鋭角の光の成分だけを出射可能とする第２開口部７３からは、ルーバーの外へ直接出射することはできなくなる。
【００３３】
こうして、本プロジェクタ装置１０では、ルーバー９が条件Ａ，Ｂを満たすように形成されていることで、ルーバー９を介してランプユニット４を空冷しながら、ランプユニット４から発せられた光が、ルーバー９の外へ漏れるのを確実に阻止することができる。
【００３４】
また、ルーバー９が条件Ａ，Ｂを満たすように形成されていることで、第１ルーバー６１および第２ルーバー７１を通る風が、第１ルーバー本体６４および第２ルーバー本体７４等によって受ける抵抗が少なくなって、風を通りやすくさせることができる。さらに、本プロジェクタ装置では、ルーバー９として、第１ルーバー６１と第２ルーバー７１とで同じ形状とし、たとえば、金型を用いて第１ルーバー６１等を樹脂成形することで、ルーバー９の生産性を高めることもできる。
【００３５】
実施の形態２
前述したプロジェクタ装置では、各第１開口部と各第２開口部とは、いずれも同じ幅に形成され、また、Ｚ方向位置がそれぞれ同じになるように形成されているルーバーを例に挙げて説明した。ここでは、各第１開口部と各第２開口部とが、Ｚ方向位置が異なるように配置されたルーバーを例に挙げて説明する。
【００３６】
図１１に示すように、本プロジェクタ装置では、第１ルーバー６１と第２ルーバー７１とがＺ方向に相対的にずらされたルーバー９が配設されている。こうすることで、各第１開口部６３と各第２開口部７３とは、Ｚ方向位置が異なることになる。なお、これ以外の構成については、図８に示すルーバーと同様なので、同一部材には同一符号を付す。
【００３７】
このような態様のルーバー９においても、前述したルーバーと同様に、光がルーバー９の外へ漏れるのを確実に阻止することができる。以下、このことについて説明する。
【００３８】
まず、各開口部のＺ方向位置が異なっても、第１ルーバー本体６４と第１開口部６３の配置関係は、前述したルーバー９と同じ配置関係である。すなわち、第１ルーバー本体６４と第１開口面６５となす角度θ1の範囲は、０°＜θ1＜９０°とされ、そして、第１ルーバー本体６４の先端部６４ａと第２開口端６２ｂを含む面６６が第１開口面６５に対して垂直になるように、第１ルーバー本体６４が第１開口部６３の開口端に形成されている。また、第２ルーバー本体７４と第２開口面７５とのなす角度θ2の範囲も、０°＜θ2＜９０°とされ、そして、第２ルーバー本体７４の先端部７４ａと第２開口端７２ｂを含む面７６が第２開口面７５に対して垂直になるように、第２ルーバー本体７４が第２開口部７３の開口端に形成されている（図９参照）。
【００３９】
そうすると、図１２に示すように、ランプユニット４（図５参照）から発せられる光のうち、第１開口面６５とのなす角度α1が鈍角（９０°＜α1＜１８０°）の光の成分だけが、第１開口部６５から第１ルーバー６１と第２ルーバー７１との間の領域に入射することになる（領域Ｒ１）。一方、ルーバー９内に進入した光のうち、第２開口面７５とのなす角度α2が鋭角の光の成分だけが、第２開口部７３から直接出射することになる（領域Ｒ２）。
【００４０】
ところが、前述したように、第１開口部６３からルーバー９内へは、第１開口面６５とのなす角度α1が鈍角となる光の成分だけが進入し、そして、第１開口部６５から進入した各光の成分と第２ルーバー７１の壁体部７２（第２開口面７５）とのなす角度は角度α1と同じ鈍角となる。そうすると、第２開口面７５とのなす角度α1が鈍角となる光の成分は、第２開口面７５とのなす角度α2が鋭角の光の成分だけを出射可能とする第２開口部７３からは、ルーバー９の外へ直接出射することはできなくなる。
【００４１】
こうして、第１ルーバー６１と第２ルーバー７１とをＺ方向に相対的にずらした態様のルーバー９においても、条件Ａ，Ｂを満たすようにルーバー９を形成することで、ランプユニット４から発せられた光が、ルーバー９の外へ漏れるのを確実に阻止することができる。また、第１ルーバー６１と第２ルーバー７１とをＺ方向に相対的にずらしても光漏れを阻止できることで、ルーバー９の設計の自由度も上げることができ、第１ルーバー６１と第２ルーバー７１を対向させる際の取り付け精度も必要とされない。
【００４２】
実施の形態３
ここでは、第１開口部の幅と第２開口部の幅とが異なり、第１ルーバー本体と第１開口面とのなす角度と、第２ルーバー本体と第２開口面とのなす角度とが異なるルーバーを例に挙げて説明する。
【００４３】
図１３に示すように、本プロジェクタ装置では、第１ルーバー６１の第１開口部６３の幅は、第２ルーバー７１の第２開口部７３の幅よりも狭く形成されている。また、第１ルーバー本体６１と第１開口面６５とのなす角度θ1は、第２ルーバー本体７１と第２開口面７５とのなす角度θ2よりも大きく形成されている（図１４参照）。なお、これ以外の構成については、図８に示すルーバーと同様なので、同一部材には同一符号を付す。
【００４４】
このような態様のルーバー９においても、光がルーバー９の外へ漏れるのを確実に阻止することができる。以下、このことについて説明する。
【００４５】
まず、第１開口部６３の幅が第２開口部７３の幅と異なり、第１ルーバー本体６１と第１開口面６５とのなす角度θ1が、第２ルーバー本体７１と第２開口面７５とのなす角度θ2と異なっても、第１（２）ルーバー本体６４，７４と第１（２）開口部６３，７３の配置関係は、実施の形態１において説明したルーバー９と同じ配置関係である。
【００４６】
すなわち、第１ルーバー本体６４と第１開口面６５となす角度θ1の範囲は、０°＜θ1＜９０°とされ、そして、第１ルーバー本体６４の先端部６４ａと第２開口端６２ｂを含む面６６が第１開口面６５に対して垂直になるように、第１ルーバー本体６４が第１開口部６３の開口端に形成されている。また、第２ルーバー本体７４と第２開口面７５とのなす角度θ2の範囲も、０°＜θ2＜９０°とされ、そして、第２ルーバー本体７４の先端部７４ａと第２開口端７２ｂを含む面７６が第２開口面７５に対して垂直になるように、第２ルーバー本体７４が第２開口部７３の開口端に形成されている（図９参照）。
【００４７】
そうすると、図１４に示すように、ランプユニット４（図５参照）から発せられる光のうち、第１開口面６５とのなす角度α1が鈍角（９０°＜α1＜１８０°）の光の成分だけが、第１開口部６５から第１ルーバー６１と第２ルーバー７１との間の領域に入射することになる（領域Ｒ１）。一方、ルーバー９内に進入した光のうち、第２開口面７５とのなす角度α2が鋭角の光の成分だけが、第２開口部７３から直接出射することになる（領域Ｒ２）。
【００４８】
ところが、すでに説明したように、第１開口部６５から進入した各光の成分と第２ルーバー７１の壁体部７２（第２開口面７５）とのなす角度が角度α1と同じ鈍角となるために、第２開口面７５とのなす角度α1が鈍角となる光の成分は、第２開口面７５とのなす角度α2が鋭角の光の成分だけを出射可能とする第２開口部７３からは、ルーバー９の外へ直接出射することはできなくなる。
【００４９】
こうして、第１ルーバー６１と第２ルーバー７１とで、開口部（第１開口部６３、第２開口部７３）の幅が異なり、ルーバー本体（第１ルーバー本体６１、第２ルーバー本体７１）の傾き角度θが異なっても、条件Ａ，Ｂを満たすようにルーバー９を形成することで、ランプユニット４から発せられた光が、ルーバー９の外へ漏れるのを確実に阻止することができる。また、第１ルーバー６１と第２ルーバー７１とで、開口部の幅を変えたり、ルーバー本体の傾き角度を変えても光漏れを阻止できることで、ルーバー９の設計の自由度をさらに上げることができる。
【００５０】
実施の形態４
ここでは、実施の形態３において説明したルーバーの第１ルーバーと第２ルーバーとをＺ方向に相対的にずらしたルーバーを例に挙げて説明する。図１５に示すように、本プロジェクタ装置では、図１３に示されるルーバー９に対して、第１ルーバー６１と第２ルーバー７１とをＺ方向に相対的にずらしたルーバー９が配設されている。なお、これ以外の構成については、図１３に示すルーバーと同様なので、同一部材には同一符号を付す。
【００５１】
このような態様のルーバー９においても、前述したルーバーと同様に、図１６に示すように、第１開口面６５とのなす角度α1が鈍角の光の成分だけがルーバー９内に入射して第２開口面７５とのなす角度α1が鈍角となる一方、ルーバー９内に進入した光のうち、第２開口面７５とのなす角度α2が鋭角の光の成分だけが、第２開口部７３から直接出射することになる。このため、第２開口面７５とのなす角度α1が鈍角となる光の成分は、第２開口部７３からはルーバー９の外へ直接出射することはできなくなる。
【００５２】
こうして、条件Ａ，Ｂを満たすようにルーバー９を形成することで、ランプユニットから発せられた光が、ルーバー９の外へ漏れるのを確実に阻止することができる。そして、第１ルーバー６１と第２ルーバー７１とで、開口部の幅を変えたり、ルーバー本体の傾き角度を変えることに加えて、Ｚ方向の位置を変えても光漏れを阻止できることで、ルーバー９の設計の自由度をさらに上げることができる。
【００５３】
なお、各実施の形態において説明したルーバーにおいては、第１ルーバー本体６４および第２ルーバー本体７４に、光の反射を抑制する反射防止部（図示せず）を設けるようにしてもよい。反射防止部としては、たとえば、第１ルーバー本体６４および第２ルーバー本体７４にシボ加工を施してもよいし、表面に光の反射を抑制するシート材を貼り付けてもよい。また、第１ルーバー本体６４および第２ルーバー本体７４の表面に、光の反射を抑制する塗料を塗ってもよい。
【００５４】
こうすることで、ランプユニット４から発せられた光が、第１ルーバー本体６４あるいは第２ルーバー本体７４によって反射され、その反射した光がルーバー９から漏れるのを確実に阻止することができる。
【００５５】
なお、上述した各プロジェクタ装置１０では、図９に示すように、第１ルーバー本体６４の先端部６４ａと第２開口端６２ｂを含む面６６が第１開口面６５に対して垂直になり、第２ルーバー本体７４の先端部７４ａと第２開口端７２ｂを含む面７６が第２開口面７５に対して垂直になるようにしたルーバー９を例に挙げて説明した。
【００５６】
本プロジェクタ装置のルーバーとしては、これに限られるものではなく、第１ルーバー本体６４の先端部６４ａ、あるいは、第２ルーバー本体７４の先端部７４ａを、図９に示される位置からさらに延ばしたルーバーとしてもよい。このような場合でも、ランプユニット４から発せられた光が、ルーバー９の外へ漏れるのを確実に阻止することができる。
【００５７】
以上説明したように、本発明に係るルーバーによれば、第１ルーバー本体が、第１開口面に対して垂直に入射する光を遮る態様で、第１壁部から第２ルーバーにおける第３の方向の側に向かって傾斜するように形成され、そして、第２ルーバー本体が、第２開口面に対して垂直に出射する光を遮る態様で、第２壁部から第１ルーバーにおける第３の方向の側に向かって傾斜するように形成されていることで、第２ルーバーに向かって第１ルーバーの第１開口部から光が入射しても、その入射した光が第２ルーバーの第２開口部から直接出射することはなく、ルーバーの外へ光が漏れるのを確実に阻止することができる。
【００５８】
より具体的には、第１ルーバー本体は、第１壁部の第２の方向と反対方向の第３の方向の側に位置する、第１開口部の第１開口端に設けられ、第１ルーバ本体と第１開口面とのなす角度は、０°より大きく９０°よりも小さく、第１壁部の第２の方向の側に位置する、第１開口部の第２開口端と、第１ルーバーの先端とを含む面は、第１開口面に垂直とされ、第２ルーバー本体は、第２壁部の第３の方向の側に位置する、第２開口部の第１開口端に設けられ、第２ルーバー本体と第２開口面とのなす角度は、０°より大きく９０°よりも小さく、第２壁部の第２の方向の側に位置する、第２開口部の第２開口端と、第２ルーバーの先端とを含む面は、第２開口面に垂直とされていることで、第１ルーバーの第１開口部から光が入射しても、その入射した光が第２ルーバーの第２開口部から出射することはなく、ルーバーの外へ光が漏れるのを確実に阻止することができる。しかも、ルーバーを通る風が、第１（第２）ルーバー本体等によって受ける抵抗が少なくなって、風が通りやすくなる。
【００５９】
また、第１ルーバー本体および第２ルーバー本体には反射防止部が形成されていることで、反射による光の漏れを防止することができる。
【００６０】
そして、本発明に係る投射型映像表示装置によれば、上述したルーバーを備えていることで、光源部の光がルーバーからケーシングの外へ漏れるのを確実に阻止することができる。
【００６１】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００６２】
【図１】本発明の実施の形態１に係るプロジェクタ装置の斜視図である。
【図２】同実施の形態において、図１に示すプロジェクタ装置の背面を示す平面図である。
【図３】同実施の形態において、図１に示すプロジェクタ装置におけるランプユニットおよび光学ユニットの配置を示す平面図である。
【図４】同実施の形態において、図１に示すプロジェクタ装置の光学系を示す平面図である。
【図５】同実施の形態において、図１に示すプロジェクタ装置におけるランプユニット、ルーバーおよび排気ファンを示す斜視図である。
【図６】同実施の形態において、図５に示すランプユニット、ルーバーおよび排気ファンを示す分解斜視図である。
【図７】同実施の形態において、ルーバーの構造を説明するための模式的斜視図である。
【図８】同実施の形態において、図７に示す断面線ＶＩＩＩ−ＶＩＩＩにおけるルーバーの断面図である。
【図９】同実施の形態において、ルーバーの機能を説明するためのルーバー本体と開口面との配置関係を示す断面図である。
【図１０】同実施の形態において、ルーバーの機能を説明するための断面図である。
【図１１】本発明の実施の形態２に係るプロジェクタ装置に配設されたルーバーの断面図である。
【図１２】同実施の形態において、ルーバーの機能を説明するための断面図である。
【図１３】本発明の実施の形態３に係るプロジェクタ装置に配設されたルーバーの断面図である。
【図１４】同実施の形態において、ルーバーの機能を説明するための断面図である。
【図１５】本発明の実施の形態４に係るプロジェクタ装置に配設されたルーバーの断面図である。
【図１６】同実施の形態において、ルーバーの機能を説明するための断面図である。
【符号の説明】
【００６３】
１  ケーシング、２  光学ユニット、３  色合成部、４  ランプユニット、５  内側ホルダ、８  排気ファンユニット、９  ルーバー、１０  プロジェクタ装置、１１  下半ケース、１２  上半ケース、１３  前面パネル、１４  投射窓、１５  排気孔、１７  後面パネル、２０  投射レンズ、２１  第１フィールドミラー、２２  第１ダイクロイックミラー、２３  第２フィールドミラー、２５  第４フィールドミラー、２６  第３フィールドミラー、２７  第２ダイクロイックミラー、３０  色合成プリズム、３１  赤色映像生成ユニット、３２  青色映像生成ユニット、３３  緑色映像生成ユニット、４１  リフレクタ、６１  第１ルーバー、６２  側壁部、６３  第１開口部、６４  第１ルーバ本体、６５  第１開口面、６６  面、７１  第２ルーバー、７２  壁体部、７３  第２開口部、７４  第２ルーバ本体、７５  第２開口面、７６  面、９１  矢印、９２  矢印。
【図１】
2010117589.tif 000003
【図２】
2010117589.tif 000004
【図３】
2010117589.tif 000005
【図４】
2010117589.tif 000006
【図５】
2010117589.tif 000007
【図６】
2010117589.tif 000008
【図７】
2010117589.tif 000009
【図８】
2010117589.tif 000010
【図９】
2010117589.tif 000011
【図１０】
2010117589.tif 000012
【図１１】
2010117589.tif 000013
【図１２】
2010117589.tif 000014
【図１３】
2010117589.tif 000015
【図１４】
2010117589.tif 000016
【図１５】
2010117589.tif 000017
【図１６】
2010117589.tif 000018